(57)【要約】【課題】複数の光学部品を組み合わせて光学部品を製造する場合において、工程の簡略化が可能な光学部品の製造方法を提供する。【解決手段】第１の整形工程で整形された光学材料を型として用いて、第２の光学材料を整形する。この結果、第１の整形工程で整形された第１の光学材料からなる第１の光学部品と第２の整形工程で整形された第２の光学材料からなる第２の光学部品とを組み合わせた光学部品を製造することができる。第２の光学部品が第１の光学部品を型として作成されるので、第１、第２の光学部品の位置合わせ、貼り付けを行う必要がない。この結果、光学部品の製造工程が簡略化される。【選択図】　　図２
2004020905.tif 000002
【特許請求の範囲】
【請求項１】
第１の光学材料を整形する第１の整形工程と、
前記第１の整形工程で整形された前記第１の光学材料を型として用いて、第２の光学材料を整形する第２の整形工程と、
を具備することを特徴とする光学部品の製造方法。
【請求項２】
前記第２の整形工程が、前記第２の光学材料を加熱する工程を有する
ことを特徴とする請求項１記載の光学部品の製造方法。
【請求項３】
前記第１の光学材料のガラス転移点が前記第１の光学材料のガラス転移点より大きい
ことを特徴とする請求項２記載の光学部品の製造方法。
【請求項４】
前記第１の整形工程が、複数の型を用いて行われる
ことを特徴とする請求項１記載の光学部品の製造方法。
【請求項５】
前記第２の整形工程が、前記第１の整形工程で用いられた複数の型のいずれかを他の型と交換する工程を有する
ことを特徴とする請求項４記載の光学部品の製造方法。
【請求項６】
第２の整形工程が、前記第１、第２の光学材料を互いに接合する工程を有する
ことを特徴とする請求項１記載の光学部品の製造方法。
【請求項７】
第１の光学材料を整形する第１の整形工程と、
第２の光学材料を整形する第２の整形工程と、
前記第１，第２の整形工程で整形された前記第１、第２の光学材料を型として用いて、第３の光学材料を整形する第３の整形工程と、
を具備することを特徴とする光学部品の製造方法。
【発明の詳細な説明】
【０００１】
【発明の属する技術分野】
本発明は、レンズ等の光学部品の製造方法に関し、特に複数の光学材料を組み合わせて構成される光学部品の製造方法に関する。
【０００２】
【従来の技術】
レンズ等の光学部品は、一般に金型を用いて光学材料を加熱整形することで製造される。
ここで、複数の光学部品を貼り合わせて光学部品が構成される場合がある。例えば、色消しレンズは、異なる光学材料からなるレンズを貼り合わせて製造される場合が多い。この場合には、複数の光学部品の位置合わせ、および貼り合わせが行われる。
【０００３】
【発明が解決しようとする課題】
しかしながら、このような光学部品同士の位置合わせ、貼り合わせは必ずしも容易ではない。特に小型、あるいは精度が要求される光学部品においては、位置合わせに要求される精度も高い。このため、位置合わせに時間、労力を要する場合もある。
また、広い波長範囲で高い集光性能を必要とする場合、貼り合わせる面に対しても複雑な面形状が必要となるが、一般に球面形状以外は用いることが困難である。
本発明はこのような課題を解決するためになされたものである。
【０００４】
【課題を解決するための手段】
Ａ．上記目的を達成するために本発明に係る光学部品の製造方法は、第１の光学材料を整形する第１の整形工程と、前記第１の整形工程で整形された前記第１の光学材料を型として用いて、第２の光学材料を整形する第２の整形工程と、を具備することを特徴とする。
第１の整形工程で整形された光学材料を型として用いて、第２の光学材料を整形する。この結果、第１の整形工程で整形された第１の光学材料からなる第１の光学部品と第２の整形工程で整形された第２の光学材料からなる第２の光学部品とを組み合わせた光学部品を製造することができる。
第２の光学部品が第１の光学部品を型とし作製されるので、第１、第２の光学部品の位置合わせ、貼り付けを行う必要がない。この結果、光学部品の製造工程が簡略化される。
【０００５】
（１）ここで、前記第２の整形工程が、前記第２の光学材料を加熱する工程を有してもよい。
このときには、前記第１の光学材料のガラス転移点が前記第１の光学材料のガラス転移点より大きいこととして、ガラス転移点の差を利用することで、整形された第１の光学材料を第２の光学材料の整形のための型として用いることができる。
【０００６】
（２）前記第１の整形工程が、複数の型を用いて行われてもよい。
このときには第２の整形工程が、前記第１の整形工程で用いられた複数の型のいずれかを他の型と交換することができる。この結果、第２の光学材料を多様な形状に整形することができる。
【０００７】
（３）第２の整形工程が、前記第１、第２の光学材料を互いに接合する工程を有してもよい。
第２の整形工程によって第１、第２の光学材料を接合することで、張り合わせ面が非球面形状のような、通常張り合わせが困難な面形状に対しても容易に張り合わせが可能となる。
（４）製造できる光学部品の一例として、組み合わせレンズ、組み合わせプリズムを挙げることができるが、これには限られることなく、多様な光学部品の製造が可能である。
【０００８】
Ｂ．本発明に係る光学部品の製造方法は、第１の光学材料を整形する第１の整形工程と、第２の光学材料を整形する第２の整形工程と、前記第１，第２の整形工程で整形された第１、第２の光学材料を型として用いて、第３の光学材料を整形する第３の整形工程と、を具備することを特徴とする。
第１、第２の整形工程で整形された光学材料を型として用いて、第３の光学材料を整形する。第３の光学部品が第１、第２の光学部品を型として作成されるので、第１、第２の光学部品への第３の光学部品への位置合わせ、貼り付けを行う必要がない。この結果、光学部品の製造工程が簡略化される。
【０００９】
【発明の実施の形態】
以下、図面を参照して本発明の実施の形態を詳細に説明する。
まず本発明に係る製造方法で製造できる光学部品の一例として、光記録媒体に光を集光するための対物レンズを説明する。
図１は、光記録媒体２０に光を集光するための対物レンズ１０を表す側面図である。対物レンズ１０は、光記録媒体２０に対向して配置され、光記録媒体２０の記録面２１への光の集束および記録面２１から反射された光の集光を行う。対物レンズ１０は、後述する光記録媒体再生装置１００の光学系と略平行光で光学的に接続される。
なお、Ｄは入射瞳径を、Ｌは対物レンズ１０上面から記録面２１までの距離を、ｔは光記録媒体２０の板厚をそれぞれ表し、この具体的な数値は後述する。
【００１０】
対物レンズ１０は、光源側の第１のレンズ１１，光記録媒体２０側の第２のレンズ１２から構成される。第１、第２のレンズ１１，１２を組み合わせることで、複数の波長に対して光学特性をほぼ一致させている（いわゆる色消しレンズを構成）。複数の波長の光による光記録媒体２０からの情報の読み取り、書き込みを共通の対物レンズ１０で行えるようにするためである。この結果、多波長方式の光記録媒体再生装置１００の光学系を簡略化することが可能となる。
【００１１】
第１のレンズ１１は、光源側（光の入射側）に球面あるいは非球面の凸面１１ａを、光記録媒体２０側（光の集光側）に球面あるいは非球面の凸面１１ｂをそれぞれ有し、クラウン系のガラスから構成される。
第２のレンズ１２は、凸面１１ｂに対応する形状を有し、凸面１１ｂに密着する凹面１２ａ、および光記録媒体２０側の球面あるいは非球面の凸面１２ｂを有し、フリント系のガラスから構成される。
【００１２】
第１、第２のレンズ１１，１２で異なる材料を用いているのは、異なるアッベ数（異なる波長分散特性）を有する材料を組み合わせて、複数の波長で屈折率等の光学特性を一致させるためである。
第１、第２のレンズ１１，１２が密着されているのは、この境界における反射を低減する等のためである。なお、ここでは、第１、第２のレンズ１１，１２が、接着剤等を介さず、それ自体により直接的に密着されている。
【００１３】
（対物レンズ１０の製造方法）
第１、第２のレンズ１１，１２は金型を用いて製造することが可能である。ここでは、第１、第２のレンズ１１，１２の一方を型に用いて他のレンズを製造する方法を示す。
図２は、対物レンズ１０の製造方法の一例を表すフロー図である。また、図３〜８は対物レンズ１０を製造する手順中の金型等の状態を表す断面図である。
【００１４】
ここでは、第１のレンズ１１よりも第２のレンズ１２を先に製造する場合を説明する。このため、第１のレンズ１１の構成材料よりも第２のレンズ１２の構成材料の方がガラス転移点Ｔｇが高いこととする。先に製造するレンズについて、ガラス転移点Ｔｇが高い材料を用いることで、その後のレンズの製造の際に、先に製造されたレンズを型として用いることができる。
以下、判り易くするために、これらのレンズ１１，１２を製造する順番に第１、第２の光学部品ＯＣ１，ＯＣ２と呼ぶことにする。
【００１５】
（１）第１、第２の金型への第１のプリフォームの組み込み（ステップＳ１１、図３）
図３には、第１、第２の金型として、それぞれ第１の上金型Ｍｕ１、下金型Ｍｄを用いた場合を示している。
本図では、金型は上側の第１の上金型Ｍｕ１、下側の下金型Ｍｄ、側面側の胴型Ｍｓが組み合わされて、第１の光学部品ＯＣ１の形状に対応している。第１の上金型Ｍｕ１、下金型Ｍｄが上下に組み合わされ、その側面を胴型Ｍｓで保持している。なお、第１の上金型Ｍｕ１は、胴型Ｍｓ内を上下にスライドすることができる。
【００１６】
第１のプリフォームＰＦ１の型への組み込みは、例えば上金型Ｍｕ１が胴型Ｍｓから引き抜かれた状態で、下金型Ｍｄ上に第１のプリフォームＰＦ１を載置し、その後に胴型Ｍｓ内に第１の上金型Ｍｕ１を挿入することで行える。
なお、第１のプリフォームＰＦ１は、第１の光学部品ＯＣ１の構成材料そのものである。これは、必要に応じて複数の材料を混合、融解した原料液体を、第１の光学部品ＯＣ１の大きさに対応するようにその量を区分した後、冷却、硬化されたものである。
【００１７】
（２）第１、第２の金型による第１のプリフォームの整形（ステップＳ１２，図４）
第１のプリフォームＰＦ１を加熱することで軟化させ、整形を行う。この加熱整形によって、第１のプリフォームＰＦ１が第１の光学部品ＯＣ１の形状に整形される。
【００１８】
具体的には、第１のプリフォームＰＦ１をヒータ、赤外線等の加熱手段で加熱し、軟化させる。このように第１のプリフォームＰＦ１が軟化等した状態で第１の上金型Ｍｕ１、下金型Ｍｄ間の距離を接近させ、第１のプリフォームを加圧する。その結果、第１のプリフォームＰＦ１は第１の上金型Ｍｕ１の下面、下金型Ｍｄの上面の形状に対応するように整形される。
整形された第１のプリフォームＰＦ１が冷却、硬化されることで、第１の光学部品ＯＣ１が製造される。
以上のように、第１のプリフォームＰＦ１から第１の光学部品ＯＣ１が製造される。
【００１９】
（３）第２のプリフォームＰＦ２の組み込み（ステップＳ１３、図５〜６）
このステップでは、第２のプリフォームＰＦ２の組み込みと共に、第１、第３の金型の交換が行われる。
【００２０】
このステップは、さらに以下の▲１▼〜▲３▼のステップに細分化される。
▲１▼第１の金型の取り外し（図５）
第１の光学部品ＯＣ１の作成が完了した後に、第１の金型（図では第１の上金型Ｍｕ１）を胴型Ｍｓから引き抜いて取り外す。この結果、下金型Ｍｄ上に第１の光学部品ＯＣ１が載置された状態になる。
【００２１】
▲２▼第２のプリフォームの設置
第２のプリフォームＰＦ２が第１の光学部品ＯＣ１上に載置される。
なお、第２のプリフォームＰＦ２は、第２１の光学部品ＯＣ２の構成材料そのものであり、第１のプリフォームＰＦ１とほぼ同様の手法で作成できる。
【００２２】
▲３▼第３の金型の取付（図６）
第３の金型（図では、第２の上金型Ｍｕ２）が胴型Ｍｓに挿入される。
以上のようにして、第２のプリフォームＰＦ２が第３の金型（第２の上金型Ｍｕ２）と第１の光学部品ＯＣ１との間に配置される（第２のプリフォームＰＦ２の金型への組み込み）。
【００２３】
（４）第３の金型および第１の光学部品ＯＣ１による第２のプリフォームの整形（ステップＳ１４，図７）
第２のプリフォームＰＦ２を加熱することで軟化させ、整形を行う。この加熱整形によって、第２のプリフォームＰＦ２が第２の光学部品ＯＣ２の形状に整形される。
このとき、第１の光学部品ＯＣ１の構成材料のガラス転移点Ｔｇが第２のプリフォームＰＦ２の構成材料のガラス転移点Ｔｇより充分高いことから、第１の光学部品ＯＣ１は軟化されない。このため、第１の光学部品ＯＣ１は第２のプリフォームＰＦ２の下金型として機能する。
【００２４】
具体的には、第２のプリフォームＰＦ２を加熱し、軟化させる。このように第２のプリフォームＰＦ２が軟化等した状態で第３の金型（第２の上金型Ｍｕ２）、第１の光学部品ＯＣ１間の距離を接近させ、第２のプリフォームＰＦ２を加圧する。その結果、第２のプリフォームＰＦ２は第２の上金型Ｍｕ２の下面、第１の光学部品ＯＣ１の上面の形状に対応するように整形される。
整形された第２のプリフォームＰＦ２が冷却、硬化されることで、第２の光学部品ＯＣ２が製造される。
【００２５】
以上のように、第２のプリフォームＰＦ２から第２の光学部品ＯＣ２が製造される。このとき第２のプリフォームＰＦ２の下面は、第１の光学部品ＯＣ１の上面に対応する形状になり、かつ第１の光学部品ＯＣ１と密着した状態になる。
【００２６】
（５）光学部品１，２の取り出し（ステップＳ１５，図８）
第２の光学部品ＯＣ２は、充分冷却された後に、第１の光学部品ＯＣ１と密着した状態で金型から外され取り出される。
この取り出しは、例えば第２の上金型Ｍｕ２を胴型Ｍｓから引き抜くことで行える。
第１、第２の光学部品ＯＣ２は、組み合わせレンズ（第２，第１のレンズ１２，１１）として対物レンズ１０を構成する。
【００２７】
金型から取り出された対物レンズ１０は、整形時に起因する内部応力が残留している可能性がある。対物レンズ１０内の内部応力はその光学特性を劣化させる要因となるので、必要に応じてアニーリングを行い残留する内部応力を開放する。具体的には、対物レンズ１０をガラス転移点より低い温度まで昇温し、その後徐々に冷却する
以上のようにして、対物レンズ１０が製造される。
【００２８】
（対物レンズ１０の具体例）
次に対物レンズ１０の具体的構成例を説明する。
ここでは、対物レンズ１０の使用波長λは４００ｎｍ（λ１）および６５０ｎｍ（λ２）とする。
【００２９】
波長λ１は光記録媒体２０への読み書きを高分解能で行えるようにして光記録媒体２０の大容量化を図るためのものである。一方、波長λ２はＤＶＤで通常用いられている波長であり、従来のＤＶＤとの互換性を持たせるためのものである（光記録媒体２０に従来のＤＶＤのディスクを用いた場合にその読み書きが可能）。
このとき、波長λ１、λ２のいずれにおいても、光記録媒体２０は通常のＤＶＤのディスクと形状、材質が同一のものを想定している。具体的には、光記録媒体２０として、基板厚ｔのポリカーボネート製のディスクを想定することとする。これは、従来のＤＶＤのディスクとの互換性を考慮したものである。
【００３０】
対物レンズ１０は、第１、第２のレンズ１１，１２を組み合わせることで、波長λ１，λ２の双方に対して開口数ＮＡが０．６５となることを想定する。一方、光源側は平行光として無限系とした。
開口数ＮＡを０．６５としたのは、従来のＤＶＤとの互換性を考慮したものである。
【００３１】
設計例の全体を以下に示す。なお、参考のため光記録媒体の一部にＣＤに関する仕様を示している。
2004020905.tif 000003
【００３２】
ガラス材料ＳＫ１１、ＳＦ１１はＳＣＨＯＴＴ社の製品番号であり、屈折率ｎｄ、アッベ数ｖｄ、ガラス転移点Ｔｇ［℃］は以下のようになっている。
ＳＫ１１：ｎｄ＝１．５６３８４，ｖｄ＝６０．８，Ｔｇ＝６０４
ＳＦ１５：ｎｄ＝１．６９８９５，ｖｄ＝３０．１，Ｔｇ＝４５５
ただし、ここでのガラス材料の組み合わせは、光学的な仕様からのみ考えられるもので、ガラス転移点と本発明で説明される製造方法には必ずしも順じたものではない。これは次に示すＯＨＡＲＡ社の提供する材料の場合も同様である。
【００３３】
また、この組み合わせに替えてＯＨＡＲＡ社の提供する材料を用いることもできる。次にこの組み合わせ▲１▼〜▲４▼を示す。なお、いうまでもなく、ＳＣＨＯＴＴ社、ＯＨＡＲＡ社以外から提供される光学材料を適宜に用いることも可能である。
▲１▼ＢＡＬ３５（ＳＫ１１に替えて）、ＴＩＭ２８（ＳＦ１５に替えて）
▲２▼ＢＡＬ３５（ＳＫ１１に替えて）、ＬＡＨ５３（ＳＦ１５に替えて）
▲３▼ＢＡＬ４２（ＳＫ１１に替えて）、ＴＩＭ２８（ＳＦ１５に替えて）
▲４▼ＢＡＬ４２（ＳＫ１１に替えて）、ＬＡＨ５３（ＳＦ１５に替えて）
【００３４】
これらのガラス材料の屈折率ｎｄ、アッベ数ｖｄ、ガラス転移点Ｔｇ［℃］は以下のようになっている。
（１）ＢＡＬ３５
Ｓ−ＢＡＬ３５：ｎｄ＝１．５８９１３，ｖｄ＝６１．２，Ｔｇ＝６９９
Ｌ−ＢＡＬ３５：ｎｄ＝１．５８９１３，ｖｄ＝６１．２，Ｔｇ＝５２７
【００３５】
（２）ＢＡＬ４２
Ｓ−ＢＡＬ４２：ｎｄ＝１．５８９１３，ｖｄ＝５９．４，Ｔｇ＝５５０
Ｌ−ＢＡＬ４２：ｎｄ＝１．５８９１３，ｖｄ＝５９．４，Ｔｇ＝５０６
【００３６】
（３）ＴＩＭ２８
Ｓ−ＴＩＭ２８：ｎｄ＝１．６８８９３，ｖｄ＝３１．１，Ｔｇ＝６１１
Ｌ−ＴＩＭ２８：ｎｄ＝１．６８８９３，ｖｄ＝３１．１，Ｔｇ＝５０４
【００３７】
（４）ＬＡＨ５３
Ｓ−ＬＡＨ５３：ｎｄ＝１．８０６１０，ｖｄ＝４０．９，Ｔｇ＝６１０
Ｌ−ＬＡＨ５３：ｎｄ＝１．８０６１０，ｖｄ＝４０．９，Ｔｇ＝５７４
なお、それぞれのガラス材料におけるＬ、Ｓは、Ｌ：低ガラス転移点対応品、Ｓ：通常品をそれぞれ表している。
【００３８】
ここで、クラウン系ガラスのガラス転移点をＴｇ（Ｋ）、フリント系ガラスのガラス転移点をＴｇ（Ｆ）としたときに、Ｔｇ（Ｋ）＜Ｔｇ（Ｆ）の組み合わせを選択することで、前述のような第２のレンズ１２を型に用いた第１のレンズ１１の整形が可能となる。次にこの組み合わせを示す。
【００３９】
▲１▼Ｌ−ＢＡＬ３５（Ｔｇ＝５２７）とＳ−ＴＩＭ２８（Ｔｇ＝６１１）
▲２▼Ｌ−ＢＡＬ３５（Ｔｇ＝５２７）とＳ−ＬＡＨ５３（Ｔｇ＝６１０）またはＬ−ＬＡＨ５３（Ｔｇ＝５７４）
▲３▼Ｌ−ＢＡＬ４２（Ｔｇ＝５０６）とＳ−ＴＩＭ２８（Ｔｇ＝６１１）
▲４▼Ｌ−ＢＡＬ４２（Ｔｇ＝５０６）とＳ−ＬＡＨ５３（Ｔｇ＝６１０）またはＬ−ＬＡＨ５３（Ｔｇ＝５７４）
【００４０】
これら▲１▼〜▲４▼の組み合わせからＢＡＬ４２，ＴＩＭ２８の組み合わせに基づく設計例２を示す。
2004020905.tif 000004
【００４１】
図９は、設計例２の場合における像高と波面収差の関係を表すグラフである（光の波長６５０ｎｍ、４００ｎｍ）。
ここで、実線が波長４０５ｎｍ、開口数ＮＡ０．６５，板厚ｔ０．６ｍｍの場合（短波長対応）を、破線が波長６５０ｎｍ、開口数ＮＡ０．６５，板厚ｔ０．６ｍｍの場合（ＤＶＤ対応）を、一点鎖線が波長７８０ｎｍ、開口数ＮＡが０．４５，板厚ｔが１．２ｍｍの場合（ＣＤ対応）をそれぞれ示している。
【００４２】
図９から波長が４０５ｎｍ、６５０ｎｍいずれの場合でも像高特性（像高に対する波面収差の変化）は実用的な範囲であることが判る。また、図２の一点鎖線は、設計例２が本来４００ｎｍ、６５０ｎｍの波長において板厚ｔが１．２ｍｍの光記録媒体２０を用いることを想定しているにも拘わらず、ＣＤ用の光記録媒体２０を用いた場合（波長７８０ｎｍ、板厚ｔ１．２ｍｍ）でも波面収差が０．２λより小さいの範囲にあることが判る。同波長で発生する収差は主として球面収差であるが、これは、後述する球面収差補正素子１２５を用いることで充分に補正できる範囲内であり、設計例２はＣＤ用としても実用的な範囲にあることが判る。
【００４３】
以上を纏めると対物レンズ１０は以下のように構成することができる。
（１）例えば、同一材料（例えば、ポリカーボネート）、同一板厚ｔ（例えば、０．６ｍｍ）の光記録媒体２０に対して、２つの波長（例えば、波長６５０ｎｍ、４００ｎｍ）いずれの波長にも適する光学特性を有するようにすることができる。また、この２つの波長いずれに対しても開口数ＮＡが同程度（例えば、０．６〜０．６５程度）に設定することができる。
具体的には、６５０ｎｍの波長域において、各種ＤＶＤフォーマットの読み書きを行えるようにすることができる。また、通常のＤＶＤと同一材料、同一板厚の光記録媒体２０について波長が４００ｎｍ帯での再生等を可能とすることができる。
【００４４】
さらに、複数の記録層を有する光記録媒体２０に対応させることができる。具体的には、２０〜５０ｎｍ程度の間隔で２層化されたＤＶＤフォーマットへの対応（波長：６５０ｎｍ中心）あるいはこれと物理的に同等のディスクに対して異なる波長（波長：４００ｎｍ中心）での読み書きを可能とすることができる。
【００４５】
これに加えて、第３の波長への対応を可能にすることが好ましい。例えば、ＣＤフォーマットのディスクに対して、７８０ｎｍでの読み書きを可能とすることができる。これは、既述のように、球面収差補正素子を併用することでより効果的に行うことができる。
【００４６】
（２）対物レンズ１０は、クラウンガラス、フリントガラスを構成材料とする第１，第２のレンズ１１，１２を組み合わせることで、波長特性を制御し、２つの波長に対応する特性とすることができる。
クラウン系ガラスとして、屈折率が１．５５以上１．６以下、アッベ数が５８以上６２以下の材料を、フリント系ガラスとして屈折率が１．６８以上１．８２以下、アッベ数が３０以上４１以下の材料をそれぞれ選択することができる。具体的には、第１，第２のレンズ１１，１２にＯＨＡＲＡ社のＢＡＬおよびＴＩＭを材料として用いることができる。
【００４７】
（３）第１，第２のレンズ１１，１２は、貼り合わせた構成とすることができる。このときには、第１，第２のレンズ１１，１２を構成する材料にガラス転移点が異なるものを用いることで、１番目に作成したレンズを２番目に作製するレンズの型として用いることができる。このようにすると２つのレンズの張り合わせ作業が不要になり、２回のガラスモールド作業のみで対物レンズ１０を製造できる。
この場合に、第１，第２のレンズ１１，１２を構成する材料のガラス転移点の差がある程度大きい方が好ましい。例えば、ガラス転移点の差が３０℃以上、より好ましくは４０℃以上、さらに好ましくは５０℃以上の材料の組み合わせを選択できる。
なお、第１，第２のレンズ１１，１２を貼り合わせない構成とすることも可能である。
第１，第２のレンズ１１，１２の貼り合わせ面は、非球面形状のような、通常、貼り合わせが困難な面形状に対しても、容易に貼り合わせが可能である。これにより、より広範囲な複数の波長に対してきわめて良好な集光性能を達成することが可能である。
【００４８】
（光記録媒体再生装置１００の全体構成）
図１０は光記録媒体再生装置１００の全体的な構成を表す模式図である。本図に示すように光記録媒体再生装置１００は、第１の波長λ１の光学系として、光源（Ｌｉｇｈｔ　Ｓｏｕｒｃｅ）１１１、コリメータレンズ（Ｃｏｌｌｉｍａｔｏｒ　Ｌｅｎｓ）１１２，アナモルフィックプリズム（Ａｎａｍｏｒｐｈｉｃ　Ｐｒｉｓｍ）１１３，１１４を有する。また、第２の波長λ２の光学系として、光源１２１、コリメータレンズ１２２，アナモルフィックプリズム１２３，１２４、球面収差補正素子（ｓｐｈｅｒｉｃａｌ　ａｂｅｒｒａｔｉｏｎ
ｃｏｍｐｅｎｓａｔｏｒ）１２５を有する。
【００４９】
さらに、光記録媒体再生装置１００は、ダイクロイックコンバイナ（ＤｉｃｈｒｏｉｃＣｏｍｂｉｎｅｒ）１３１，偏光ビームスプリッタ（Ｐｏｌａｒｉｚａｔｉｏｎ　Ｂｅａｍ　Ｓｐｌｉｔｔｅｒ）１３２、アフォーカル光学系１３３，１／４波長板（ＱＷＰ：Ｑｕａｒｔｅｒ−Ｗａｖｅｌｅｎｇｔｈ　Ｐｌａｔｅ）１３３、対物レンズ１０、光記録媒体２０、コンデンサーレンズ（Ｃｏｎｄｅｎｓｅｒ　Ｌｅｎｚ）１４１，受光ユニット３０，モニタＰＤ（Ｆｒｏｎｔ　ｍｏｎｉｔｏｒ　Ｐｈｏｔｏ　Ｄｉｏｄｅ）１５１を有する。
【００５０】
光記録媒体再生装置１００は、光記録媒体２０の全面から情報を読み出すために、光源１１１、１２１から出射した光ビームを光記録媒体２０上で走査する走査手段（図示せず）を有している。例えば、光記録媒体２０を回転し、かつ対物レンズ１０を光記録媒体２０の回転中心に対して半径方向に移動可能とすることで、対物レンズ１０から出射された光により光記録媒体２０のほぼ全面を走査することが可能となる。
【００５１】
光記録媒体２０としては、ＤＶＤの規格で定められたディスクのいずれをも用いることができる。例えば、ＤＶＤ−Ｖｉｄｅｏ、ＤＶＤ−ＲＯＭ、ＤＶＤ−Ｒ、ＤＶＤ＋Ｒ、ＤＶＤ−ＲＷ、ＤＶＤ＋ＲＷ、ＤＶＤ−ＲＡＭのような波長６５０ｎｍで開口数ＮＡが０．６〜０．６５程度の光学系に対応したものを用いることができる。また、４００ｎｍでも同様に開口数ＮＡが０．６〜０．６５程度の光学系に対応したものを用いることができる。
光記録媒体２０としては、さらに２０〜５０ｎｍ程度の間隔で２層化されたＤＶＤフォーマットのディスクおよびこれとほぼ同様の物理的構成を有する４００ｎｍ帯用のディスクが含まれる。
さらに、７８０ｎｍ帯のＣＤ用ディスクおよびこれに準拠したディスクを含めることができる。ただし、色素６５０ｎｍに対して感度の良い色素系ディスクは含まれない。即ち、７８０ｎｍ帯で開口数ＮＡが０．４５〜０．５、板厚１．２ｍｍのディスクが含まれる。この場合、球面収差補正素子１２５を用いて光学系のさらなる適正化を図ることが好ましい。
なお、上記色素系ディスク（例えばＣＤ−Ｒ）を含む場合は，第３の光源（波長７８０ｎｍ）を必要とする。
【００５２】
光源１１１は、波長λ１が例えば４００ｎｍの半導体レーザである。波長を短くした方が光記録媒体２０からの読み出しを高分解能で行える。
【００５３】
コリメータレンズ１１２は，光源１１１から出射された光を略平行光に変換する。
アナモルフィックプリズム１１３，１１４は、アナモルフィック光学系を構成し、コリメータレンズ１１２から出射した光をダイクロイックコンバイナ１３１に対応する形状に変換する。
【００５４】
光源１２１は、波長λ２が例えば６５０ｎｍの半導体レーザである。従来のＤＶＤとの互換性を確保するためである。
コリメータレンズ１２２、アナモルフィックプリズム１２３，１２４は、第１の波長の光学系のコリメータレンズ１１２等と波長が異なる他は本質的に異なるものではないので、説明を省略する。
球面収差補正素子１２５は、球面収差を補正して光記録媒体２０に適切に光を集束するための光学素子であり、例えば液晶素子を用いて構成できる。なお、球面収差補正素子１２５は、７８０ｎｍ帯のＣＤ規格に準じたディスクの再生時に用いられる。
【００５５】
ダイクロイックコンバイナ１３１は、複数の波長の光を結合する光学素子であり、ここでは光源１１１，１２１から出射した光を結合している。
偏光ビームスプリッタ１３２は、所定の偏光成分の光を透過し、他の偏光成分の光を反射する光学素子である。これは波長λ１，λ２の双方で同等の光学特性を有することが好ましい。
アフォーカル光学系１３３は、一対のレンズから構成され、このレンズ間の距離を変化することで、光源１２１から出射した光が光記録媒体２０上に集光する集光位置を調節し、読み取り等を行う深さ方向位置の選択等を可能とする。
１／４波長板１３４は、直交する偏光成分に互いに１／４波長の位相差を付与する光学素子である。これは波長λ１，λ２の双方で同等の光学特性を有することが好ましい。
【００５６】
対物レンズ１０は、前述のように光源１１１，１２１からの光（波長λ１，λ２）のいずれにも適した光学特性を有するように調整されている。
コンデンサーレンズ１４１は，受光ユニット３０に光を集束する。
モニタＰＤ１５１は、光源１１１，１２１からの出力をモニタする。
【００５７】
（光記録媒体再生装置１００の動作）
光源１１１から発した波長λ１の光は、コリメータレンズ１１２で略平行光に変換され、アナモルフィックプリズム１１３，１１４で整形され、ダイクロイックコンバイナ１３１に入射する。
光源１２１から発した波長λ２の光は、コリメータレンズ１２２で略平行光に変換され、アナモルフィックプリズム１２３，１２４で整形され、球面収差補正素子１２５を経由して、ダイクロイックコンバイナ１３１に入射する。
【００５８】
以上のようにダイクロイックコンバイナ１３１には、波長λ１，λ２の光双方が入射する。ダイクロイックコンバイナ１３１から、これらの光が混合して出射され、偏光ビームスプリッタ１３２に入射する。
偏光ビームスプリッタ１３２を通過したビームは、アフォーカル光学系１３３を通過し、１／４波長板１３４によって円偏光に変換される。この円偏光は対物レンズ１０で光記録媒体２０の記録面２１に集束される。なお、偏光ビームスプリッタ１３２に入射した光の一部は、ＰＢＳ面で反射され、モニタＰＤ１５１に入射することで出力がモニタされる。
【００５９】
光記録媒体２０に入射した光は記録面２１で反射され、入射したときとは逆回りの円偏光の戻り光となる。この戻り光は、対物レンズ１０を経由し、１／４波長板１３４で入射時とは向きが直交する直線偏光に変換される。この直線偏光は、アナモルフィック光学系１３３を経由し、偏光ビームスプリッタ１３２のＰＢＳ面で反射され、コンデンサーレンズ１４１により受光ユニット３０に収束され、ＲＦ信号等が生成される。この結果、光記録媒体２０からの情報の読み出し（再生）が行われる。
【００６０】
本実施形態に係る光記録媒体再生装置１００は、以下のような特徴を有する。
（１）ＤＶＤとの互換性がある光学系を用い、波長４００ｎｍの光での光記録媒体２０からの情報の読み出し、書き込みが可能となる。この結果、通常のＤＶＤの２．６４倍の記録容量を確保することが可能となる。
【００６１】
（２）ＤＶＤ−Ｖｉｄｅｏ、ＤＶＤ−ＲＯＭ、ＤＶＤ−Ｒ、ＤＶＤ−ＲＷ、ＤＶＤ＋ＲＷ、ＤＶＤ−ＲＡＭのようなＤＶＤの各種フォーマットに対応可能な光学系を用いることが可能となり、これまでに蓄積されたＤＶＤの資産を有効に活用することが可能となる。
【００６２】
（３）単一の対物レンズ１０を用いて複数の波長に対応することができる。このため、トラッキングサーボ、フォーカスサーボの機構に従来と同様の構成を採用することができる。
即ち、対物レンズ１０の共通化等による部品点数の増加抑制等が可能になる。これは、光記録媒体再生装置１００の製造コストの抑制に繋がる。
【００６３】
（４）対物レンズ１０を２つのレンズを貼り合わせた構成とする場合には、異なるガラス転移点を有する材料を用いて一方のレンズを他方のレンズの金型として用いることが可能になる。この結果、２つのレンズのアライメントおよび張り合わせ工程を設ける必要がなくなる。これは、光記録媒体再生装置１００の製造コストの抑制に繋がる。
【００６４】
（５）場合により３つ以上の波長に対応することも可能である。この場合には、光源を追加すると共に、球面収差補正素子を用いるのが効果的である。この結果、例えばＣＤフォーマットとの互換性をも確保することが可能となる。
【００６５】
（その他の実施形態）
本発明の実施形態は上記実施形態には限られず拡張、変更できる。拡張、変更された実施形態も本発明の技術的範囲に含まれる。
（１）例えば、光学部品の製造方法として、２つのレンズを組み合わせた対物レンズを例に説明しているが、他の光学部品の製造に用いることも可能である。
互いの面が密着している複数の光学部品の組み合わせであれば、その一方を型として用いて、製造することができる。
【００６６】
（２）また、対物レンズの製造に際して、第２、第１のレンズの順に製造しているが、場合によりこの順を逆にすることも可能である。最初に製造する光学部品のガラス転移点が次に製造する光学部品のガラス転移点よりも高ければ（広くいえば耐熱性が大きい）、最初に製造した光学部品を型として、次の光学部品を製造できる。
【００６７】
（３）光学部品の個数も２つに限られない。３つ以上の光学部品を組み合わせたものを製造することができる。例えば、３つのレンズを組み合わせた色消しレンズを製造することができる。
３つ以上の光学部品を用いる場合でも、ガラス転移点の高い順に光学部品を製造すれば、先に製造した光学部品を型として利用できる。
この場合、光学部品を順に積層しながら製造することもできるが、場合によれば２つの光学部品を別個に作成し、この２つの光学部品を上金型、下金型として、その間に第３の光学部品を挟んで作成することもできる。このときには、この第１、第２の光学部品同士のガラス転移点の大小はそれほど問題にはならない。
【００６８】
【発明の効果】
以上説明したように、本発明によれば、複数の光学部品を組み合わせて光学部品を製造する場合において、工程の簡略化が可能な光学部品の製造方法を提供することができる。
【図面の簡単な説明】
【図１】本発明に係る製造方法で製造できる光学部品の一例としての対物レンズを表す側面図である。
【図２】本発明の一実施形態として、対物レンズの製造方法の一例を表すフロー図である。
【図３】対物レンズを製造する手順中における金型等の状態を表す断面図である。
【図４】対物レンズを製造する手順中における金型等の状態を表す断面図である。
【図５】対物レンズを製造する手順中における金型等の状態を表す断面図である。
【図６】対物レンズを製造する手順中における金型等の状態を表す断面図である。
【図７】対物レンズを製造する手順中における金型等の状態を表す断面図である。
【図８】対物レンズを製造する手順中における金型等の状態を表す断面図である。
【図９】対物レンズを光記録媒体に対向させた場合における像高と球面収差の関係を表すグラフである。
【図１０】光記録媒体再生装置１００の全体的な構成を表す模式図である。
【符号の説明】
ＰＦ１、ＰＦ２　プリフォーム
Ｍｕ１、Ｍｕ２　上金型
Ｍｄ　下金型
Ｍｓ　胴型
１０　対物レンズ
１１、１２　レンズ
２０　光記録媒体
２１　記録面
３０　受光ユニット
１００　光記録媒体再生装置
１１１　光源
１１２　コリメータレンズ
１１３，１１４　アナモルフィックプリズム
１２１　光源
１２２　コリメータレンズ
１２３，１２４　アナモルフィックプリズム
１２５　球面収差補正素子
１３１　ダイクロイックコンバイナ
１３２　偏光ビームスプリッタ
１３３　アフォーカル光学系
１３４　波長板
１４１　コンデンサーレンズ
１５１　モニタＰＤ
【図１】
2004020905.tif 000005
【図２】
2004020905.tif 000006
【図３】
2004020905.tif 000007
【図４】
2004020905.tif 000008
【図５】
2004020905.tif 000009
【図６】
2004020905.tif 000010
【図７】
2004020905.tif 000011
【図８】
2004020905.tif 000012
【図９】
2004020905.tif 000013
【図１０】
2004020905.tif 000014